(57)【要約】【課題】取付ブラケットの取り付け部分における摩耗損傷を解消して確実かつ強固に取り付けてケーブル類を円滑に保護案内するとともに、その取り付け作業が簡便なケーブル類保護案内装置を提供すること。【解決手段】取付ブラケット１４０が押さえボルト１６０のネジ部１６２を貫挿させた金属製ブシュ１７０を囲繞収容する取付孔１４３を備えているとともに、金属製ブシュ１７０のボルト貫通方向の長さＨ１が取付孔１４３のボルト貫通方向の長さＨ２よりも短くなっているケーブル類保護案内装置１００。【選択図】図１
2008275059.tif 000002
【特許請求の範囲】
【請求項１】
多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されるケーブル類保護案内装置において
前記取付ブラケットが前記押さえボルトを貫挿させた金属製ブシュを囲繞収容する取付孔を備えているとともに、
前記金属製ブシュのボルト貫通方向の長さが前記取付孔のボルト貫通方向の長さよりも短くなっていることを特徴とするケーブル類保護案内装置。
【請求項２】
前記金属製ブシュのボルト貫通方向の長さと前記取付孔のボルト貫通方向の長さとの差が、前記取付ブラケットを形成する合成樹脂の弾性変形範囲内に設定されていることを特徴とする請求項１記載のケーブル類保護案内装置。
【請求項３】
前記取付ブラケットの取付孔が、前記金属製ブシュと囲繞係合するテーパ状内周面で構成されていることを特徴とする請求項１または請求項２記載のケーブル類保護案内装置。
【発明の詳細な説明】
【技術分野】
【０００１】
本発明は、ケーブル類保護案内装置に係り、更に詳しくは、産業用機械の可動部材に電力や圧縮空気のエネルギーを供給するケーブルやホース等のケーブル類を収容すると共に、可動部の移動中においてもケーブル類を安全にかつ確実に案内保護するのに好適なケーブル類保護案内装置に関するものである。
【背景技術】
【０００２】
従来のケーブル類保護案内装置として、取付固定端から取付移動端に向かって多数連結された左右一対の合成樹脂製リンクプレートの取付固定端や取付移動端に連結された合成樹脂からなる取付ブラケット５４０が、押さえボルト５６０を貫挿させた金属製ブシュ５７０を囲繞収容する取付孔５４３を備えており、この取付孔５４３を介して押さえボルト５６０により、ケーブル類を保護案内する固定部材と移動部材に対してそれぞれ螺合固定されるケーブル・ホースの保護案内チェーン５００が知られている（例えば、特許文献１参照）。
【特許文献１】西独特許第４３１３０８２号明細書（第１頁、ＦＩＧ．１）
【発明の開示】
【発明が解決しようとする課題】
【０００３】
ところが、このような保護案内チェーン５００は、図９に示すように、金属製ブシュ５７０のボルト貫通方向の長さＨ１が取付孔５４３のボルト貫通方向の長さＨ２よりも長くなっているため、取付ブラケット５４０が固定部材や移動部材に対して押さえボルト５６０を用いて螺合させて取り付けた場合であっても、押さえボルト５６０が取付ブラケット５４０を押圧することなく金属製ブシュ５７０のみを押圧した取り付け状態となり、取付ブラケット５４０が上下動や旋回動を生じて確実に固定されず、ケーブル収納空間が蛇行状態を呈してケーブル類Ｃが円滑で保護案内されないばかりでなく、取り付け部分において摩耗損傷が生じやすく、保護案内チェーン５００全体の耐久性を十分に発揮させることができないという問題があった。
【０００４】
そこで、本発明は、上述したような課題を解決するものであって、すなわち、本発明の主な目的は、取付ブラケットの取り付け部分における摩耗損傷を解消して確実かつ強固に取り付けてケーブル類を円滑に保護案内するとともに、その取り付け作業が簡便なケーブル類保護案内装置を提供することにある。
【課題を解決するための手段】
【０００５】
本請求項１に係る発明は、多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されるケーブル類保護案内装置において、前記取付ブラケットが前記押さえボルトを貫挿させた金属製ブシュを囲繞収容する取付孔を備えているとともに、前記金属製ブシュのボルト貫通方向の長さが前記取付孔のボルト貫通方向の長さよりも短くなっていることによって、上記目的を達成するものである。
【０００６】
そして、本請求項２に係る発明は、請求項１記載の構成に加えて、前記金属製ブシュのボルト貫通方向の長さと前記取付孔のボルト貫通方向の長さとの差が、前記取付ブラケットを形成する合成樹脂の弾性変形範囲内に設定されていることによって、上記目的をさらに達成するものである。
【０００７】
そして、本請求項３に係る発明は、請求項１または請求項２記載の構成に加えて、前記取付ブラケットの取付孔が前記金属製ブシュと囲繞係合するテーパ状内周面で構成されていることによって、上記目的をさらに達成するものである。
【発明の効果】
【０００８】
まず、本請求項１に係る発明のケーブル類保護案内装置によれば、多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されることによって、多数の側板ユニットと連結板で囲繞されるケーブル収納空間内にケーブル類を取付固定端から取付移動端に向かって収納して保護案内することができる。
【０００９】
そして、前記取付ブラケットが押さえボルトを貫挿させた金属製ブシュを囲繞収容する取付孔を備えていることによって、ケーブル類保護案内装置を固定部材あるいは移動部材に螺合固定する際に、押さえボルトを貫挿する取付ブラケットの取付孔が金属製ブシュによって補強され保護されているため、押さえボルトを固定部材あるいは移動部材に締め込んでも取付ブラケットの取付孔にクラックなどの破損を生じることが無く、強固な締結力を発揮することができる。
【００１０】
また、前記金属製ブシュのボルト貫通方向の長さが取付孔のボルト貫通方向の長さよりも短くなっていることによって、ケーブル類保護案内装置を固定部材あるいは移動部材に螺合固定する際に、押さえボルトが合成樹脂からなる取付ブラケットとの接触状態で金属製ブシュを押さえ込んで取付ブラケットの上下動や旋回動を確実に規制して締め込むことができるばかりでなく、押さえボルトが合成樹脂からなる取付ブラケットの取付孔を狭小化させる方向に変形させるため、取付ブラケットの取付孔と金属製ブシュとの間に半径方向の隙間があっても両者が相互に密着状態を呈して確実な締め込みが可能となり、取付ブラケットに形成された取付孔の孔径や金属製ブシュの外径に多少の寸法バラツキがあってもその寸法誤差を許容できるので、取り付け作業を簡便に達成することができる。
【００１１】
そして、本請求項２に係る発明は、請求項１記載の発明が奏する効果に加えて、金属製ブシュのボルト貫通方向の長さと取付孔のボルト貫通方向の長さとの差が取付ブラケットを形成する合成樹脂の弾性変形範囲内に設定されていることによって、ケーブル類保護案内装置の取付ブラケットを固定部材あるいは移動部材に螺合固定する際に、押さえボルトが取付ブラケットをボルト貫通方向の長さの差分だけ弾性変形させながら金属製ブシュを締め込み、このような弾性変形が締め込む際に惹起する取付ブラケットの内部応力を合成樹脂の弾性変形範囲内で吸収するため、押さえボルトを固定部材あるいは移動部材に強固に締め込んでも取付ブラケットの取付孔にクラックなどの破損を生じる虞れが無く、長期に亙って強固な締結力を発揮することができる。
【００１２】
そして、本請求項３に係る発明は、請求項１または請求項２記載の発明が奏する効果に加えて、取付ブラケットの取付孔が金属製ブシュと囲繞係合するテーパ状内周面で構成されていることにより、ケーブル類保護案内装置の取付ブラケットを固定部材あるいは移動部材に螺合固定する際に、取付ブラケットの取付孔に形成されたテーパ状内周面に金属製ブシュを僅かな押圧力で圧入できるとともに取付ブラケットのテーパ状内周面に金属製ブシュを一時的に係合させた状態で脱落させる事なく一体化させながら押さえボルトを螺合操作でき、しかも、取付ブラケットに形成された取付孔の孔径や金属製ブシュの外径に多少の寸法バラツキがあってもテーパ状内周面によりその寸法誤差を完全に許容できるため、その取り付け作業を更に一段と簡便に達成できる。
【発明を実施するための最良の形態】
【００１３】
本発明は、多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されるケーブル類保護案内装置において、前記取付ブラケットが前記押さえボルトを貫挿させた金属製ブシュを囲繞収容する取付孔を備えているとともに、前記金属製ブシュのボルト貫通方向の長さが前記取付孔のボルト貫通方向の長さよりも短くなっていることにより、取付ブラケットの取り付け部分における摩耗損傷を解消して確実かつ強固に取り付けてケーブル類を円滑に保護案内するとともに、その取り付け作業が簡便であれば、その具体的な実施の態様は如何なるものであっても何ら構わない。
【００１４】
まず、本発明のケーブル類保護案内装置で用いる側板ユニット、連結板、取付ブラケットの素材については、屈曲動作時に発生しがちな屈曲歪みを耐えてケーブル保持形態の優れた寸法安定性を発揮するポリアミド６、ポリアミド１２、ポリアミド４６、ポリアミド６６、アクリル、ポリアセタールなどのエンジニアリングプラスチック樹脂であれば良いが、特に、ポリアミド樹脂またはポリブチレンテレフタレート樹脂にエラストマーまたはゴム成分を配合させた耐疲労性樹脂材料を用いて成形されている場合には、ポリアミド樹脂またはポリブチレンテレフタレート樹脂に配合されたエラストマーまたはゴム成分が耐衝撃性に強い柔軟性を加味するため、繰り返し屈曲に対する優れた耐疲労性をより一層発揮するので、より好ましい。
【００１５】
また、本発明のケーブル類保護案内装置で採用する左右一対の側板ユニットは、相互に長手方向に多数連結して屈曲内周側及び屈曲外周側にそれぞれ横架された連結板とでケーブル収納空間を呈するものであれば、その具体的な側板ユニットの形態は如何なるものであっても差し支えないが、例えば、特開２００４−２９７８５６号公報、特開２００５−０６１５５４号公報などにおいて既に知られている、公知の先行する側板ユニットに連結される側板前方部と後続する側板に連結される側板後方部とで小判型に一体に構成され、側板ユニットを相互に連結して回動屈曲させる連結ピン機構が先行する側板ユニットの側板後方部とこの側板後方部に後続する側板の側板前方部との間にオフセット配置されている側板形態であっても良く、あるいは、本出願人が特願２００６−１１２０８７号、特願２００６−０６９５２７号として出願している、先行する側板ユニットに連結される側板前方部と後続する側板ユニットに連結される側板後方部と前記側板前方部と側板後方部との間に一体化されて介在する屈曲自在な継ぎ手部とで一体に構成され、前記側板ユニットを相互に連結するスナップフイット機構が先行する側板ユニットの側板後方部とこの側板後方部に後続する側板ユニットの側板前方部との間に設けられている側板形態であっても良く、後者の場合には、屈曲動作の繰り返しによる側板ユニットの継ぎ手部における不用意な外れを回避するとともに屈曲姿勢規制時における屈曲部位に発生しがちな負荷を回避して優れた耐久性を発揮でき、しかも、部品製作負担や組み付け作業負担が軽減でき、側板ユニットの切り継ぎ時における保守メンテナンスが簡便である。
【００１６】
そして、本発明のケーブル類保護案内装置で用いる連結板は、側板ユニットの屈曲内周側及び屈曲外周側に着脱自在に横架しているが、長手方向に多数連結される側板ユニット毎、あるいは、間欠的に横架しても何ら差し支えない。
【００１７】
さらに、本発明のケーブル類保護案内装置で用いる取付ブラケットの取付孔については、一つの取付ブラケットに対して少なくとも１ヶ所に穿孔されていれば良いが、好ましくは前後２ヶ所に穿孔されているほうが取付ブラケットの幅方向のフラツキが無く安定した取り付け状態を達成することができる。また、その取付孔を構成するテーパ状内周面については、上下いずれの方向から形成しても良く、取付ブラケットの板厚の一部もしくは全部であっても何ら差し支えない。
【実施例】
【００１８】
以下、本発明の実施例であるケーブル類保護案内装置を図１乃至図８を用いて詳しく説明する。
ここで、図１は、本発明の第１実施例であるケーブル類保護案内装置の使用態様を示す全体図であり、図２は、図１に示すケーブル類保護案内装置の外側から見た取付移動端側の分解図であり、図３は、図１に示すケーブル類保護案内装置の内側から見た取付移動端側の分解図であり、図４は、取付ブラケットの取り付け状態を示す斜視図であり、図５は、図４の裏側からみた取付ブラケットの取り付け状態を示す斜視図であり、図６は、押さえボルトの螺合開始状態を示す説明図であり、図７は、押さえボルトの締め込み状態を示す説明図であり、図８は、本発明の第２実施例における押さえボルトの螺合直前状態を示す説明図である。
【００１９】
本発明の一実施例であるケーブル類保護案内装置１００は、例えば、半導体製造装置、創薬試験装置、車両用ドア開閉装置などの可動部材と静止部材とを接続し、電気信号の伝達や供給を行う電気ケーブルや圧力液体や圧力気体を供給するホースのようなケーブル類Ｃを保護案内するために使用され、上述した静止部材と可動部材を接続するために長尺状に多数連結され、可動部材と静止部材との間の相対的な遠隔移動状況に応じて直線姿勢、あるいは、屈曲姿勢を呈するものである。
【００２０】
そして、本実施例のケーブル類保護案内装置１００は、図１に示すように、離間配置された左右一対の側板ユニット１１０，１１０が、上述した静止部材に取り付けられる取付固定端側（Ｆ）から可動部材に取り付けられる取付移動端側（Ｍ）に向かってケーブル長手方向に多数連結されるとともに、これらの側板ユニット１１０，１１０の屈曲内周側及び屈曲外周側にそれぞれ連結板１２０が多数連結される側板ユニット１１０，１１０の１つ置きの配置間隔で横架されてなり、左右一対の側板ユニット１１０，１１０と連結板１２０，１２０とで囲繞されて矩形状断面を呈するケーブル収納空間内にケーブル類Ｃを収納するように構成されている。
なお、本実施例のケーブル類保護案内装置１００では、連結板１２０を、多数連結される側板ユニット１１０，１１０に対して１つ置きの配置間隔で横架させているが、例えば、多数連結される側板ユニット１１０，１１０のそれぞれに１対１で対応させて横架させても良い。
【００２１】
また、図１に示すように、取付固定端側（Ｆ）に近接する左右一対の側板ユニット１１０，１１０にそれぞれ左右一対の固定端側アダプター１３０，１３０を介して左右一対の取付ブラケット１４０，１４０が着脱自在に連結されているとともに、取付移動端側（Ｍ）に近接する左右一対の側板ユニット１１０，１１０にそれぞれ左右一対の移動端側アダプター１５０，１５０を介して左右一対の取付ブラケット１４０，１４０が着脱自在に連結されている。
【００２２】
図１乃至図３に示すように、離間配置する左右一対の側板ユニット１１０，１１０は、ポリアミド樹脂にゴム成分を配合させた耐疲労性樹脂材料を用いて成形加工され、左右対称に形成されている。
そして、側板ユニット１１０は、先行する側板ユニット１１０に連結される側板前方部１１１と、後続する側板ユニット１１０に連結される側板後方部１１２と、これらの側板前方部１１１と側板後方部１１２との間に一体化されて介在する屈曲自在な継ぎ手部１１３とで一体に構成されている。
【００２３】
さらに、この耐疲労性樹脂のポリアミド樹脂−ゴム配合材からなる継ぎ手部１１３は、繰り返し屈曲に対して柔軟に対応するため、繰り返し屈曲に対する優れた耐疲労性を発揮するとともに、側板前方部１１１と側板後方部１１２とが屈曲動作時に発生しがちな屈曲
歪みを継ぎ手部１１３へ集中転化させて吸収させるため、ケーブル保持形態の優れた安定性を発揮している。その結果、継ぎ手部１１３に負荷をかけることなく、直線姿勢もしくは屈曲姿勢を確実に保持するようになっている。
【００２４】
つぎに、本実施例のケーブル類保護案内装置１００が最も特徴とする取付固定端側および取付移動端側の取り付け構造を図４乃至図７に基づいて以下に詳しく説明する。
まず、上述した取付固定端側もしくは取付移動端側の連結構造は、図２乃至図３に示したように、取付固定端側（Ｆ）もしくは取付移動端側（Ｍ）に近接する左右一対の側板ユニット１１０，１１０にそれぞれ左右一対の固定端側アダプター１３０，１３０もしくは移動端側アダプター１５０，１５０を介して左右一対の取付ブラケット１４０，１４０が着脱自在に連結されている。
【００２５】
そして、図２乃至図３に示すような左右一対の取付ブラケット１４０は、それぞれ、移動端側アダプター１５０のブラケット側連結部分１５２に形成した軸穴１５２ａに係合する反転軸１４１と、移動端側アダプター１５０のブラケット側連結部分１５２に形成した抱持アーム１５２ｂに係合する係合柱１４２とを備え、移動端側アダプター１５０と固定端側アダプター１３０のいずれにも合致して連結可能になっている。
なお、図２乃至図３における符号１５１は、移動端側アダプター１５０のユニット側連結部分である。
【００２６】
また、前述した取付ブラケット１４０は、ポリアミド樹脂にゴム成分を配合させた耐疲労性樹脂材料を用いて成形加工したものであって、図４乃至図５に示すように、例えば、ケーブル類Ｃを保護案内する取付移動端側（Ｍ）の移動部材に対して円形断面のボルト頭部１６１を有する押さえボルト１６０によりそれぞれ螺合固定されるようになっている。
なお、図４乃至図５に示すように、前記押さえボルト１６０のボルト頭部１６１には、六角レンチ穴が設けられており、押さえボルト１６０は、図示していないが六角レンチを用いて締め付けることができるようになっているが、前記押さえボルト１６０のボルト頭部１６１の具体的形状については、取付ブラケット１４０を締め付けることができればこれ以外の形状であっても何ら差し支えない。
【００２７】
そして、このような取付ブラケット１４０は、前述した押さえボルト１６０のネジ部１６２を貫挿させた金属製ブシュ１７０を囲繞収容する取付孔１４３を備えている。
これにより、取付ブラケット１４０を移動部材に螺合固定する際に、図６に示すように、押さえボルト１６０のネジ部１６２を貫挿する取付ブラケット１４０の取付孔１４３が金属製ブシュ１７０によって補強され保護されるため、押さえボルト１６０を移動部材に締め込んでも取付ブラケット１４０の取付孔１４３にクラックなどの破損を生じることが無く、強固な締結力を発揮するようになっている。
なお、前述した取付孔１４３は、取付ブラケット１４０の長手方向の前後２ヶ所に穿孔されており、取付ブラケット１４０の幅方向のフラツキが無く安定した取り付け状態を呈している。
【００２８】
また、図６に示すように、金属製ブシュ１７０のボルト貫通方向の長さＨ１が取付孔１４３のボルト貫通方向の長さＨ２よりも短くなっていることによって、取付ブラケット１４０を移動部材に螺合固定する際に、図７に示すように、押さえボルト１６０が前述した耐疲労性樹脂材料からなる取付ブラケット１４０との接触状態で金属製ブシュ１７０を押さえ込んで取付ブラケット１４０の上下動や旋回動を確実に規制して締め込むばかりでなく、押さえボルト１６０が耐疲労性樹脂材料からなる取付ブラケット１４０の取付孔１４３を狭小化させる方向に変形させるため、取付ブラケット１４０の取付孔１４３と金属製ブシュ１７０との間に半径方向の隙間があっても両者が相互に密着状態を呈して確実な締め込みが可能となり、取付ブラケット１４０に形成された取付孔１４３の孔径や金属製ブ
シュ１７０の外径に多少の寸法バラツキがあってもその寸法誤差を許容するようになっている。
【００２９】
そして、金属製ブシュ１７０のボルト貫通方向の長さＨ１と取付孔１４３のボルト貫通方向の長さＨ２との差が取付ブラケット１４０を形成する耐疲労性樹脂材料の弾性変形範囲内に設定されていることによって、取付ブラケット１４０を固定部材あるいは移動部材に螺合固定する際に、押さえボルト１６０が取付ブラケット１４０をボルト貫通方向の長さの差分だけ弾性変形させながら金属製ブシュ１７０を締め込み、このような弾性変形が締め込む際に惹起する取付ブラケット１４０の内部応力を耐疲労性樹脂材料の弾性変形範囲内で吸収するため、押さえボルト１６０を固定部材あるいは移動部材に強固に締め込んでも取付ブラケット１４０の取付孔１４３にクラックなどの破損を生じる虞れが無く、長期に亙って強固な締結力を発揮するようになっている。
【００３０】
なお、上述した本実施例における取付ブラケット１４０の取り付け形態については、図４乃至図７でケーブル類保護案内装置１００の取付移動端側を例示して説明したが、図１に示すようなケーブル類保護案内装置１００の取付固定端側であっても単に取り付け方向が天地逆転する以外は何ら変わるところは無く、取付移動端側と同様に押さえボルト１６０と金属製ブシュ１７０とを用いて取り付けられることは言うまでもない。
【００３１】
このようにして得られた本実施例のケーブル類保護案内装置１００は、多数の側板ユニット１１０と連結板１２０とで囲繞したケーブル収納空間Ｒの取付固定端側および取付移動端側に連結された耐疲労性樹脂材料からなる取付ブラケット１４０が、ケーブル類Ｃを保護案内する固定部材と移動部材に押さえボルト１６０によりそれぞれ螺合固定されて、取付ブラケット１４０が押さえボルト１６０を貫挿させた金属製ブシュ１７０を囲繞収容する取付孔１４３を備えているとともに、金属製ブシュ１７０のボルト貫通方向の長さＨ１が取付孔１４３のボルト貫通方向の長さＨ２よりも短くなっていることにより、取付ブラケット１４０の取り付け部分における摩耗損傷を解消して確実かつ強固に取り付けてケーブル類Ｃを円滑に保護案内するとともに、その取り付け作業が簡便となるなど、その効果は甚大である。
【００３２】
図８に示す本発明の第２実施例であるケーブル類保護案内装置２００は、前述したようなケーブル類保護案内装置１００と同様に、取付固定端側および取付移動端側に連結された耐疲労性樹脂材料からなる取付ブラケット２４０が、ケーブル類Ｃを保護案内する固定部材と移動部材に押さえボルト２６０によりそれぞれ螺合固定されて、取付ブラケット２４０が押さえボルト２６０を貫挿させた金属製ブシュ２７０を囲繞収容する取付孔２４３を備えているとともに、金属製ブシュ２７０のボルト貫通方向の長さＨ１が取付孔２４３のボルト貫通方向の長さＨ２よりも短くなっている。
なお、前述した取付孔２４３は、取付ブラケット２４０の長手方向の前後２ヶ所に穿孔されており、取付ブラケット２４０の幅方向のフラツキが無く安定した取り付け状態を呈している。
【００３３】
そして、このような第２実施例のケーブル類保護案内装置２００は、前述したようなケーブル類保護案内装置１００の装置構成に加えて、図８に示すように、取付ブラケット２４０の取付孔２４３が金属製ブシュ２７０と囲繞係合するテーパ状内周面２４３ａで構成されていることである。
また、その取付孔２４３を構成するテーパ状内周面２４３ａについては、下向きに拡開状態となるように指向するとともに、取付ブラケット２４０の板厚の一部に形成されている。
【００３４】
したがって、このようにして得られた第２実施例のケーブル類保護案内装置２００は、
取付ブラケット２４０を固定部材あるいは移動部材に螺合固定する際に、取付ブラケット２４０の取付孔２４３に形成されたテーパ状内周面２４３ａに金属製ブシュ２７０を僅かな押圧力で圧入できるとともに取付ブラケット２のテーパ状内周面２４３ａに金属製ブシュ２７０を一時的に係合させた状態で脱落させる事なく一体化させながら押さえボルト２６０を螺合操作でき、しかも、取付ブラケット２４０に形成された取付孔２４３の孔径や金属製ブシュ２７０の外径に多少の寸法バラツキがあってもテーパ状内周面２４３ａによりその寸法誤差を完全に許容できるため、その取り付け作業を更に一段と簡便に達成できるなど、その効果は甚大である。
【図面の簡単な説明】
【００３５】
【図１】本実施例であるケーブル類保護案内装置の使用態様を示す全体図。
【図２】図１に示すケーブル類保護案内装置の外側から見た取付移動端側の分解図。
【図３】図１に示すケーブル類保護案内装置の内側から見た取付移動端側の分解図。
【図４】取付ブラケットの取り付け状態を示す斜視図。
【図５】図４の裏側からみた取付ブラケットの取り付け状態を示す斜視図。
【図６】押さえボルトの螺合開始状態を示す説明図。
【図７】押さえボルトの締め込み状態を示す説明図。
【図８】本発明の第２実施例における押さえボルトの螺合直前状態を示す説明図。
【図９】従来の押さえボルトの締め込み状態を示す説明図。
【符号の説明】
【００３６】
１００  ，２００・・・ケーブル類保護案内装置
１１０  ・・・側板ユニット
１１１  ・・・側板前方部
１１２  ・・・側板後方部
１１３  ・・・継ぎ手部
１２０  ・・・連結板
１３０  ・・・固定端側アダプター
１４０  ・・・取付ブラケット
１４１  ・・・反転軸
１４２  ・・・係合柱
１４３  ，２４３・・・取付孔
２４３ａ・・・テーパ状内周面
１５０  ・・・移動端側アダプター
１５１  ・・・ユニット側連結部分
１５２  ・・・ブラケット側連結部分
１５２ａ・・・軸穴
１５２ｂ・・・抱持アーム
１６０  ，２６０・・・押さえボルト
１６１  ・・・ボルト頭部
１６２  ・・・ネジ部
１７０  ，２７０・・・金属製ブシュ
５００  ・・・ケーブル類保護案内装置
５４０  ・・・取付ブラケット
５４３  ・・・取付孔
５６０  ・・・押さえボルト
５７０  ・・・金属製ブシュ
Ｃ    ・・・ケーブル類
Ｒ    ・・・ケーブル収納空間
Ｈ１  ・・・金属製ブシュにおけるボルト貫通方向の長さ
Ｈ２  ・・・取付孔におけるボルト貫通方向の長さ
【図１】
2008275059.tif 000003
【図２】
2008275059.tif 000004
【図３】
2008275059.tif 000005
【図４】
2008275059.tif 000006
【図５】
2008275059.tif 000007
【図６】
2008275059.tif 000008
【図７】
2008275059.tif 000009
【図８】
2008275059.tif 000010
【図９】
2008275059.tif 000011
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されるケーブル類保護案内装置において、
前記取付固定端側もしくは取付移動端側に近接する左右一対の側板ユニットにそれぞれ左右一対の固定端側アダプターもしくは移動端側アダプターを介して左右一対の取付ブラケットが着脱自在に連結され、
前記取付ブラケットが前記固定端側アダプターおよび移動端側アダプターのブラケット側連結部分にそれぞれ形成した軸穴に係合する反転軸と前記固定端側アダプターおよび移動端側アダプターのブラケット側連結部分にそれぞれ形成した抱持アームに係合する係合柱とを備え、
前記取付ブラケットが前記押さえボルトを貫挿させた金属製ブシュを囲繞収容する取付孔を備え、
前記金属製ブシュのボルト貫通方向の長さが前記取付孔のボルト貫通方向の長さよりも短くなっていることを特徴とするケーブル類保護案内装置。
【請求項２】
前記金属製ブシュのボルト貫通方向の長さと前記取付孔のボルト貫通方向の長さとの差が、前記取付ブラケットを形成する合成樹脂の弾性変形範囲内に設定されていることを特徴とする請求項１記載のケーブル類保護案内装置。
【請求項３】
前記取付ブラケットの取付孔が、前記金属製ブシュと囲繞係合するテーパ状内周面で構成されていることを特徴とする請求項１または請求項２記載のケーブル類保護案内装置。
【手続補正２】
【補正対象書類名】明細書
【補正対象項目名】全文
【補正方法】変更
【補正の内容】
【発明の詳細な説明】
【技術分野】
【０００１】
本発明は、ケーブル類保護案内装置に係り、更に詳しくは、産業用機械の可動部材に電力や圧縮空気のエネルギーを供給するケーブルやホース等のケーブル類を収容すると共に、可動部の移動中においてもケーブル類を安全にかつ確実に案内保護するのに好適なケーブル類保護案内装置に関するものである。
【背景技術】
【０００２】
従来のケーブル類保護案内装置として、取付固定端から取付移動端に向かって多数連結された左右一対の合成樹脂製リンクプレートの取付固定端や取付移動端に連結された合成樹脂からなる取付ブラケット５４０が、押さえボルト５６０を貫挿させた金属製ブシュ５７０を囲繞収容する取付孔５４３を備えており、この取付孔５４３を介して押さえボルト５６０により、ケーブル類を保護案内する固定部材と移動部材に対してそれぞれ螺合固定されるケーブル・ホースの保護案内チェーン５００が知られている（例えば、特許文献１参照）。
【特許文献１】西独特許第４３１３０８２号明細書（第１頁、ＦＩＧ．１）
【発明の開示】
【発明が解決しようとする課題】
【０００３】
ところが、このような保護案内チェーン５００は、図９に示すように、金属製ブシュ５７０のボルト貫通方向の長さＨ１が取付孔５４３のボルト貫通方向の長さＨ２よりも長くなっているため、取付ブラケット５４０が固定部材や移動部材に対して押さえボルト５６０を用いて螺合させて取り付けた場合であっても、押さえボルト５６０が取付ブラケット５４０を押圧することなく金属製ブシュ５７０のみを押圧した取り付け状態となり、取付ブラケット５４０が上下動や旋回動を生じて確実に固定されず、ケーブル収納空間が蛇行状態を呈してケーブル類Ｃが円滑で保護案内されないばかりでなく、取り付け部分において摩耗損傷が生じやすく、保護案内チェーン５００全体の耐久性を十分に発揮させることができないという問題があった。
【０００４】
そこで、本発明は、上述したような課題を解決するものであって、すなわち、本発明の主な目的は、取付ブラケットが移動端側アダプターと固定端側アダプターのいずれにも合致して連結可能であって、取付ブラケットの取り付け部分における摩耗損傷を解消して確実かつ強固に取り付けてケーブル類を円滑に保護案内するとともに、その取り付け作業が簡便なケーブル類保護案内装置を提供することにある。
【課題を解決するための手段】
【０００５】
本請求項１に係る発明は、多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されるケーブル類保護案内装置において、前記取付固定端側もしくは取付移動端側に近接する左右一対の側板ユニットにそれぞれ左右一対の固定端側アダプターもしくは移動端側アダプターを介して左右一対の取付ブラケットが着脱自在に連結され、前記取付ブラケットが前記固定端側アダプターおよび移動端側アダプターのブラケット側連結部分にそれぞれ形成した軸穴に係合する反転軸と前記固定端側アダプターおよび移動端側アダプターのブラケット側連結部分にそれぞれ形成した抱持アームに係合する係合柱とを備え、前記取付ブラケットが前記押さえボルトを貫挿させた金属製ブシュを囲繞収容する取付孔を備え、前記金属製ブシュのボルト貫通方向の長さが前記取付孔のボルト貫通方向の長さよりも短くなっていることによって、上記目的を達成するものである。
【０００６】
そして、本請求項２に係る発明は、請求項１記載の構成に加えて、前記金属製ブシュのボルト貫通方向の長さと前記取付孔のボルト貫通方向の長さとの差が、前記取付ブラケットを形成する合成樹脂の弾性変形範囲内に設定されていることによって、上記目的をさらに達成するものである。
【０００７】
そして、本請求項３に係る発明は、請求項１または請求項２記載の構成に加えて、前記取付ブラケットの取付孔が前記金属製ブシュと囲繞係合するテーパ状内周面で構成されていることによって、上記目的をさらに達成するものである。
【発明の効果】
【０００８】
まず、本請求項１に係る発明のケーブル類保護案内装置によれば、多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されることによって、多数の側板ユニットと連結板で囲繞されるケーブル収納空間内にケーブル類を取付固定端から取付移動端に向かって収納して保護案内することができる。
また、取付固定端側もしくは取付移動端側に近接する左右一対の側板ユニットにそれぞれ左右一対の固定端側アダプターもしくは移動端側アダプターを介して左右一対の取付ブラケットが着脱自在に連結され、取付ブラケットが固定端側アダプターおよび移動端側アダプターのブラケット側連結部分にそれぞれ形成した軸穴に係合する反転軸と固定端側アダプターおよび移動端側アダプターのブラケット側連結部分にそれぞれ形成した抱持アームに係合する係合柱とを備えていることにより、取付ブラケットは、移動端側アダプターと固定端側アダプターのいずれにも合致して連結可能になっている。
【０００９】
そして、前記取付ブラケットが押さえボルトを貫挿させた金属製ブシュを囲繞収容する取付孔を備えていることによって、ケーブル類保護案内装置を固定部材あるいは移動部材に螺合固定する際に、押さえボルトを貫挿する取付ブラケットの取付孔が金属製ブシュによって補強され保護されているため、押さえボルトを固定部材あるいは移動部材に締め込んでも取付ブラケットの取付孔にクラックなどの破損を生じることが無く、強固な締結力を発揮することができる。
【００１０】
また、前記金属製ブシュのボルト貫通方向の長さが取付孔のボルト貫通方向の長さよりも短くなっていることによって、ケーブル類保護案内装置を固定部材あるいは移動部材に螺合固定する際に、押さえボルトが合成樹脂からなる取付ブラケットとの接触状態で金属製ブシュを押さえ込んで取付ブラケットの上下動や旋回動を確実に規制して締め込むことができるばかりでなく、押さえボルトが合成樹脂からなる取付ブラケットの取付孔を狭小化させる方向に変形させるため、取付ブラケットの取付孔と金属製ブシュとの間に半径方向の隙間があっても両者が相互に密着状態を呈して確実な締め込みが可能となり、取付ブラケットに形成された取付孔の孔径や金属製ブシュの外径に多少の寸法バラツキがあってもその寸法誤差を許容できるので、取り付け作業を簡便に達成することができる。
【００１１】
そして、本請求項２に係る発明は、請求項１記載の発明が奏する効果に加えて、金属製ブシュのボルト貫通方向の長さと取付孔のボルト貫通方向の長さとの差が取付ブラケットを形成する合成樹脂の弾性変形範囲内に設定されていることによって、ケーブル類保護案内装置の取付ブラケットを固定部材あるいは移動部材に螺合固定する際に、押さえボルトが取付ブラケットをボルト貫通方向の長さの差分だけ弾性変形させながら金属製ブシュを締め込み、このような弾性変形が締め込む際に惹起する取付ブラケットの内部応力を合成樹脂の弾性変形範囲内で吸収するため、押さえボルトを固定部材あるいは移動部材に強固に締め込んでも取付ブラケットの取付孔にクラックなどの破損を生じる虞れが無く、長期に亙って強固な締結力を発揮することができる。
【００１２】
そして、本請求項３に係る発明は、請求項１または請求項２記載の発明が奏する効果に加えて、取付ブラケットの取付孔が金属製ブシュと囲繞係合するテーパ状内周面で構成されていることにより、ケーブル類保護案内装置の取付ブラケットを固定部材あるいは移動部材に螺合固定する際に、取付ブラケットの取付孔に形成されたテーパ状内周面に金属製ブシュを僅かな押圧力で圧入できるとともに取付ブラケットのテーパ状内周面に金属製ブシュを一時的に係合させた状態で脱落させる事なく一体化させながら押さえボルトを螺合操作でき、しかも、取付ブラケットに形成された取付孔の孔径や金属製ブシュの外径に多少の寸法バラツキがあってもテーパ状内周面によりその寸法誤差を完全に許容できるため、その取り付け作業を更に一段と簡便に達成できる。
【発明を実施するための最良の形態】
【００１３】
本発明は、多数の側板ユニットと連結板とで囲繞したケーブル収納空間の取付固定端側および取付移動端側に連結された合成樹脂からなる取付ブラケットが、ケーブル類を保護案内する固定部材と移動部材に押さえボルトによりそれぞれ螺合固定されるケーブル類保護案内装置において、取付固定端側もしくは取付移動端側に近接する左右一対の側板ユニットにそれぞれ左右一対の固定端側アダプターもしくは移動端側アダプターを介して左右一対の取付ブラケットが着脱自在に連結され、取付ブラケットが固定端側アダプターおよび移動端側アダプターのブラケット側連結部分にそれぞれ形成した軸穴に係合する反転軸と固定端側アダプターおよび移動端側アダプターのブラケット側連結部分にそれぞれ形成した抱持アームに係合する係合柱とを備え、取付ブラケットが押さえボルトを貫挿させた金属製ブシュを囲繞収容する取付孔を備え、金属製ブシュのボルト貫通方向の長さが前記取付孔のボルト貫通方向の長さよりも短くなっていることにより、取付ブラケットの取り付け部分における摩耗損傷を解消して確実かつ強固に取り付けてケーブル類を円滑に保護案内するとともに、その取り付け作業が簡便であれば、その具体的な実施の態様は如何なるものであっても何ら構わない。
【００１４】
まず、本発明のケーブル類保護案内装置で用いる側板ユニット、連結板、取付ブラケットの素材については、屈曲動作時に発生しがちな屈曲歪みを耐えてケーブル保持形態の優れた寸法安定性を発揮するポリアミド６、ポリアミド１２、ポリアミド４６、ポリアミド６６、アクリル、ポリアセタールなどのエンジニアリングプラスチック樹脂であれば良いが、特に、ポリアミド樹脂またはポリブチレンテレフタレート樹脂にエラストマーまたはゴム成分を配合させた耐疲労性樹脂材料を用いて成形されている場合には、ポリアミド樹脂またはポリブチレンテレフタレート樹脂に配合されたエラストマーまたはゴム成分が耐衝撃性に強い柔軟性を加味するため、繰り返し屈曲に対する優れた耐疲労性をより一層発揮するので、より好ましい。
【００１５】
また、本発明のケーブル類保護案内装置で採用する左右一対の側板ユニットは、相互に長手方向に多数連結して屈曲内周側及び屈曲外周側にそれぞれ横架された連結板とでケーブル収納空間を呈するものであれば、その具体的な側板ユニットの形態は如何なるものであっても差し支えないが、例えば、特開２００４−２９７８５６号公報、特開２００５−０６１５５４号公報などにおいて既に知られている、公知の先行する側板ユニットに連結される側板前方部と後続する側板に連結される側板後方部とで小判型に一体に構成され、側板ユニットを相互に連結して回動屈曲させる連結ピン機構が先行する側板ユニットの側板後方部とこの側板後方部に後続する側板の側板前方部との間にオフセット配置されている側板形態であっても良く、あるいは、本出願人が特願２００６−１１２０８７号、特願２００６−０６９５２７号として出願している、先行する側板ユニットに連結される側板前方部と後続する側板ユニットに連結される側板後方部と前記側板前方部と側板後方部との間に一体化されて介在する屈曲自在な継ぎ手部とで一体に構成され、前記側板ユニットを相互に連結するスナップフイット機構が先行する側板ユニットの側板後方部とこの側板後方部に後続する側板ユニットの側板前方部との間に設けられている側板形態であっても良く、後者の場合には、屈曲動作の繰り返しによる側板ユニットの継ぎ手部における不用意な外れを回避するとともに屈曲姿勢規制時における屈曲部位に発生しがちな負荷を回避して優れた耐久性を発揮でき、しかも、部品製作負担や組み付け作業負担が軽減でき、側板ユニットの切り継ぎ時における保守メンテナンスが簡便である。
【００１６】
そして、本発明のケーブル類保護案内装置で用いる連結板は、側板ユニットの屈曲内周側及び屈曲外周側に着脱自在に横架しているが、長手方向に多数連結される側板ユニット毎、あるいは、間欠的に横架しても何ら差し支えない。
【００１７】
さらに、本発明のケーブル類保護案内装置で用いる取付ブラケットの取付孔については、一つの取付ブラケットに対して少なくとも１ヶ所に穿孔されていれば良いが、好ましくは前後２ヶ所に穿孔されているほうが取付ブラケットの幅方向のフラツキが無く安定した取り付け状態を達成することができる。また、その取付孔を構成するテーパ状内周面については、上下いずれの方向から形成しても良く、取付ブラケットの板厚の一部もしくは全部であっても何ら差し支えない。
【実施例】
【００１８】
以下、本発明の実施例であるケーブル類保護案内装置を図１乃至図８を用いて詳しく説明する。
ここで、図１は、本発明の第１実施例であるケーブル類保護案内装置の使用態様を示す全体図であり、図２は、図１に示すケーブル類保護案内装置の外側から見た取付移動端側の分解図であり、図３は、図１に示すケーブル類保護案内装置の内側から見た取付移動端側の分解図であり、図４は、取付ブラケットの取り付け状態を示す斜視図であり、図５は、図４の裏側からみた取付ブラケットの取り付け状態を示す斜視図であり、図６は、押さえボルトの螺合開始状態を示す説明図であり、図７は、押さえボルトの締め込み状態を示す説明図であり、図８は、本発明の第２実施例における押さえボルトの螺合直前状態を示す説明図である。
【００１９】
本発明の一実施例であるケーブル類保護案内装置１００は、例えば、半導体製造装置、創薬試験装置、車両用ドア開閉装置などの可動部材と静止部材とを接続し、電気信号の伝達や供給を行う電気ケーブルや圧力液体や圧力気体を供給するホースのようなケーブル類Ｃを保護案内するために使用され、上述した静止部材と可動部材を接続するために長尺状に多数連結され、可動部材と静止部材との間の相対的な遠隔移動状況に応じて直線姿勢、あるいは、屈曲姿勢を呈するものである。
【００２０】
そして、本実施例のケーブル類保護案内装置１００は、図１に示すように、離間配置された左右一対の側板ユニット１１０，１１０が、上述した静止部材に取り付けられる取付固定端側（Ｆ）から可動部材に取り付けられる取付移動端側（Ｍ）に向かってケーブル長手方向に多数連結されるとともに、これらの側板ユニット１１０，１１０の屈曲内周側及び屈曲外周側にそれぞれ連結板１２０が多数連結される側板ユニット１１０，１１０の１つ置きの配置間隔で横架されてなり、左右一対の側板ユニット１１０，１１０と連結板１２０，１２０とで囲繞されて矩形状断面を呈するケーブル収納空間内にケーブル類Ｃを収納するように構成されている。
なお、本実施例のケーブル類保護案内装置１００では、連結板１２０を、多数連結される側板ユニット１１０，１１０に対して１つ置きの配置間隔で横架させているが、例えば、多数連結される側板ユニット１１０，１１０のそれぞれに１対１で対応させて横架させても良い。
【００２１】
また、図１に示すように、取付固定端側（Ｆ）に近接する左右一対の側板ユニット１１０，１１０にそれぞれ左右一対の固定端側アダプター１３０，１３０を介して左右一対の取付ブラケット１４０，１４０が着脱自在に連結されているとともに、取付移動端側（Ｍ）に近接する左右一対の側板ユニット１１０，１１０にそれぞれ左右一対の移動端側アダプター１５０，１５０を介して左右一対の取付ブラケット１４０，１４０が着脱自在に連結されている。
【００２２】
図１乃至図３に示すように、離間配置する左右一対の側板ユニット１１０，１１０は、ポリアミド樹脂にゴム成分を配合させた耐疲労性樹脂材料を用いて成形加工され、左右対称に形成されている。
そして、側板ユニット１１０は、先行する側板ユニット１１０に連結される側板前方部１１１と、後続する側板ユニット１１０に連結される側板後方部１１２と、これらの側板前方部１１１と側板後方部１１２との間に一体化されて介在する屈曲自在な継ぎ手部１１３とで一体に構成されている。
【００２３】
さらに、この耐疲労性樹脂のポリアミド樹脂−ゴム配合材からなる継ぎ手部１１３は、繰り返し屈曲に対して柔軟に対応するため、繰り返し屈曲に対する優れた耐疲労性を発揮するとともに、側板前方部１１１と側板後方部１１２とが屈曲動作時に発生しがちな屈曲歪みを継ぎ手部１１３へ集中転化させて吸収させるため、ケーブル保持形態の優れた安定性を発揮している。その結果、継ぎ手部１１３に負荷をかけることなく、直線姿勢もしくは屈曲姿勢を確実に保持するようになっている。
【００２４】
つぎに、本実施例のケーブル類保護案内装置１００が最も特徴とする取付固定端側および取付移動端側の取り付け構造を図４乃至図７に基づいて以下に詳しく説明する。
まず、上述した取付固定端側もしくは取付移動端側の連結構造は、図２乃至図３に示したように、取付固定端側（Ｆ）もしくは取付移動端側（Ｍ）に近接する左右一対の側板ユニット１１０，１１０にそれぞれ左右一対の固定端側アダプター１３０，１３０もしくは移動端側アダプター１５０，１５０を介して左右一対の取付ブラケット１４０，１４０が着脱自在に連結されている。
【００２５】
そして、図２乃至図３に示すような左右一対の取付ブラケット１４０は、それぞれ、移動端側アダプター１５０のブラケット側連結部分１５２に形成した軸穴１５２ａに係合する反転軸１４１と、移動端側アダプター１５０のブラケット側連結部分１５２に形成した抱持アーム１５２ｂに係合する係合柱１４２とを備えていることにより、左右一対の取付ブラケット１４０は、移動端側アダプター１５０と固定端側アダプター１３０のいずれにも合致して連結可能になっている。
なお、図２乃至図３における符号１５１は、移動端側アダプター１５０のユニット側連結部分である。
【００２６】
また、前述した取付ブラケット１４０は、ポリアミド樹脂にゴム成分を配合させた耐疲労性樹脂材料を用いて成形加工したものであって、図４乃至図５に示すように、例えば、ケーブル類Ｃを保護案内する取付移動端側（Ｍ）の移動部材に対して円形断面のボルト頭部１６１を有する押さえボルト１６０によりそれぞれ螺合固定されるようになっている。
なお、図４乃至図５に示すように、前記押さえボルト１６０のボルト頭部１６１には、六角レンチ穴が設けられており、押さえボルト１６０は、図示していないが六角レンチを用いて締め付けることができるようになっているが、前記押さえボルト１６０のボルト頭部１６１の具体的形状については、取付ブラケット１４０を締め付けることができればこれ以外の形状であっても何ら差し支えない。
【００２７】
そして、このような取付ブラケット１４０は、前述した押さえボルト１６０のネジ部１６２を貫挿させた金属製ブシュ１７０を囲繞収容する取付孔１４３を備えている。
これにより、取付ブラケット１４０を移動部材に螺合固定する際に、図６に示すように、押さえボルト１６０のネジ部１６２を貫挿する取付ブラケット１４０の取付孔１４３が金属製ブシュ１７０によって補強され保護されるため、押さえボルト１６０を移動部材に締め込んでも取付ブラケット１４０の取付孔１４３にクラックなどの破損を生じることが無く、強固な締結力を発揮するようになっている。
なお、前述した取付孔１４３は、取付ブラケット１４０の長手方向の前後２ヶ所に穿孔されており、取付ブラケット１４０の幅方向のフラツキが無く安定した取り付け状態を呈している。
【００２８】
また、図６に示すように、金属製ブシュ１７０のボルト貫通方向の長さＨ１が取付孔１４３のボルト貫通方向の長さＨ２よりも短くなっていることによって、取付ブラケット１４０を移動部材に螺合固定する際に、図７に示すように、押さえボルト１６０が前述した耐疲労性樹脂材料からなる取付ブラケット１４０との接触状態で金属製ブシュ１７０を押さえ込んで取付ブラケット１４０の上下動や旋回動を確実に規制して締め込むばかりでなく、押さえボルト１６０が耐疲労性樹脂材料からなる取付ブラケット１４０の取付孔１４３を狭小化させる方向に変形させるため、取付ブラケット１４０の取付孔１４３と金属製ブシュ１７０との間に半径方向の隙間があっても両者が相互に密着状態を呈して確実な締め込みが可能となり、取付ブラケット１４０に形成された取付孔１４３の孔径や金属製ブシュ１７０の外径に多少の寸法バラツキがあってもその寸法誤差を許容するようになっている。
【００２９】
そして、金属製ブシュ１７０のボルト貫通方向の長さＨ１と取付孔１４３のボルト貫通方向の長さＨ２との差が取付ブラケット１４０を形成する耐疲労性樹脂材料の弾性変形範囲内に設定されていることによって、取付ブラケット１４０を固定部材あるいは移動部材に螺合固定する際に、押さえボルト１６０が取付ブラケット１４０をボルト貫通方向の長さの差分だけ弾性変形させながら金属製ブシュ１７０を締め込み、このような弾性変形が締め込む際に惹起する取付ブラケット１４０の内部応力を耐疲労性樹脂材料の弾性変形範囲内で吸収するため、押さえボルト１６０を固定部材あるいは移動部材に強固に締め込んでも取付ブラケット１４０の取付孔１４３にクラックなどの破損を生じる虞れが無く、長期に亙って強固な締結力を発揮するようになっている。
【００３０】
なお、上述した本実施例における取付ブラケット１４０の取り付け形態については、図２乃至図７で示すように左右一対の移動端側アダプター１５０，１５０を介してそれぞれ連結した取付移動端側を例示して説明したが、図１に示すようなケーブル類保護案内装置１００の左右一対の固定端側アダプター１３０，１３０を介してそれぞれ連結した取付固定端側であっても単に取り付け方向が天地逆転する以外は何ら変わるところは無く、取付移動端側と同様に押さえボルト１６０と金属製ブシュ１７０とを用いて取り付けられることは言うまでもない。  
【００３１】
このようにして得られた本実施例のケーブル類保護案内装置１００は、多数の側板ユニット１１０と連結板１２０とで囲繞したケーブル収納空間Ｒの取付固定端側および取付移動端側に連結された耐疲労性樹脂材料からなる取付ブラケット１４０が、移動端側アダプター１５０と固定端側アダプター１３０のいずれにも合致して連結可能となり、また、ケーブル類Ｃを保護案内する固定部材と移動部材に押さえボルト１６０によりそれぞれ螺合固定されて、取付ブラケット１４０が押さえボルト１６０を貫挿させた金属製ブシュ１７０を囲繞収容する取付孔１４３を備えているとともに、金属製ブシュ１７０のボルト貫通方向の長さＨ１が取付孔１４３のボルト貫通方向の長さＨ２よりも短くなっていることにより、取付ブラケット１４０の取り付け部分における摩耗損傷を解消して確実かつ強固に取り付けてケーブル類Ｃを円滑に保護案内するとともに、その取り付け作業が簡便となるなど、その効果は甚大である。  
【００３２】
図８に示す本発明の第２実施例であるケーブル類保護案内装置２００は、前述したようなケーブル類保護案内装置１００と同様に、取付固定端側および取付移動端側に連結された耐疲労性樹脂材料からなる取付ブラケット２４０が、ケーブル類Ｃを保護案内する固定部材と移動部材に押さえボルト２６０によりそれぞれ螺合固定されて、取付ブラケット２４０が押さえボルト２６０を貫挿させた金属製ブシュ２７０を囲繞収容する取付孔２４３を備えているとともに、金属製ブシュ２７０のボルト貫通方向の長さＨ１が取付孔２４３のボルト貫通方向の長さＨ２よりも短くなっている。
なお、前述した取付孔２４３は、取付ブラケット２４０の長手方向の前後２ヶ所に穿孔されており、取付ブラケット２４０の幅方向のフラツキが無く安定した取り付け状態を呈している。
【００３３】
そして、このような第２実施例のケーブル類保護案内装置２００は、前述したようなケーブル類保護案内装置１００の装置構成に加えて、図８に示すように、取付ブラケット２４０の取付孔２４３が金属製ブシュ２７０と囲繞係合するテーパ状内周面２４３ａで構成されていることである。
また、その取付孔２４３を構成するテーパ状内周面２４３ａについては、下向きに拡開状態となるように指向するとともに、取付ブラケット２４０の板厚の一部に形成されている。
【００３４】
したがって、このようにして得られた第２実施例のケーブル類保護案内装置２００は、取付ブラケット２４０を固定部材あるいは移動部材に螺合固定する際に、取付ブラケット２４０の取付孔２４３に形成されたテーパ状内周面２４３ａに金属製ブシュ２７０を僅かな押圧力で圧入できるとともに取付ブラケット２のテーパ状内周面２４３ａに金属製ブシュ２７０を一時的に係合させた状態で脱落させる事なく一体化させながら押さえボルト２６０を螺合操作でき、しかも、取付ブラケット２４０に形成された取付孔２４３の孔径や金属製ブシュ２７０の外径に多少の寸法バラツキがあってもテーパ状内周面２４３ａによりその寸法誤差を完全に許容できるため、その取り付け作業を更に一段と簡便に達成できるなど、その効果は甚大である。
【図面の簡単な説明】
【００３５】
【図１】本実施例であるケーブル類保護案内装置の使用態様を示す全体図。
【図２】図１に示すケーブル類保護案内装置の外側から見た取付移動端側の分解図。
【図３】図１に示すケーブル類保護案内装置の内側から見た取付移動端側の分解図。
【図４】取付ブラケットの取り付け状態を示す斜視図。
【図５】図４の裏側からみた取付ブラケットの取り付け状態を示す斜視図。
【図６】押さえボルトの螺合開始状態を示す説明図。
【図７】押さえボルトの締め込み状態を示す説明図。
【図８】本発明の第２実施例における押さえボルトの螺合直前状態を示す説明図。
【図９】従来の押さえボルトの締め込み状態を示す説明図。
【符号の説明】
【００３６】
１００  ，２００・・・ケーブル類保護案内装置
１１０  ・・・側板ユニット
１１１  ・・・側板前方部
１１２  ・・・側板後方部
１１３  ・・・継ぎ手部
１２０  ・・・連結板
１３０  ・・・固定端側アダプター
１４０  ・・・取付ブラケット
１４１  ・・・反転軸
１４２  ・・・係合柱
１４３  ，２４３・・・取付孔
２４３ａ・・・テーパ状内周面
１５０  ・・・移動端側アダプター
１５１  ・・・ユニット側連結部分
１５２  ・・・ブラケット側連結部分
１５２ａ・・・軸穴
１５２ｂ・・・抱持アーム
１６０  ，２６０・・・押さえボルト
１６１  ・・・ボルト頭部
１６２  ・・・ネジ部
１７０  ，２７０・・・金属製ブシュ
５００  ・・・ケーブル類保護案内装置
５４０  ・・・取付ブラケット
５４３  ・・・取付孔
５６０  ・・・押さえボルト
５７０  ・・・金属製ブシュ
Ｃ    ・・・ケーブル類
Ｒ    ・・・ケーブル収納空間
Ｈ１  ・・・金属製ブシュにおけるボルト貫通方向の長さ
Ｈ２  ・・・取付孔におけるボルト貫通方向の長さ